(57)【要約】【課題】蓄熱材として蓄熱性能の高い潜熱蓄熱材を用いることができ、しかも釘打ちによって固定することができる床暖房パネルと、そのための床暖房用蓄熱シートを提供する。【解決手段】床暖房パネル１は、基板１０と、該基板１０の上面側に設けられた床暖房用蓄熱シート２０とを有する。基板１０は、方形板状の合成樹脂発泡材等よりなる基体１１と、該基体１１の１対の辺部に沿って配置され、該基体１１に対し接着剤等によって固着された合板等よりなる小根太１２，１２とで構成されている。蓄熱シート２０は、方形のシェル２１と、このシェル２１の上面に貼り付けられたアルミニウム等の金属箔３０とを有する。この金属箔３０の１対の側辺部がシェル２１の側縁から張り出した片体３０ａを構成している。シェル２１内に融解温度が４０〜５０℃程度の潜熱蓄熱材２７が充填されている。【選択図】図１
2008020136.tif 000002
【特許請求の範囲】
【請求項１】
内部に空室を有した中空板状のシェルと、
該シェルの少なくとも一辺から張り出すシート状の片体と、
該シェルの前記空室内に充填された潜熱蓄熱材と
を備えてなる床暖房用蓄熱シート。
【請求項２】
請求項１において、該シェルは、
上面部と、
該上面部に所定間隔を置いて対置された下面部と、
該上面部及び下面部の周縁部に連なる周壁部と、
該上面部と下面部との間のスペースを複数の空室に区画する隔壁と
を備えてなることを特徴とする床暖房用蓄熱シート。
【請求項３】
請求項２において、一方向に平行に延在して複数の前記隔壁が設けられていることを特徴とする床暖房用蓄熱シート。
【請求項４】
請求項１ないし３のいずれか１項において、前記シェルは合成樹脂製であることを特徴とする床暖房用蓄熱シート。
【請求項５】
請求項４において、前記片体は、該シェルに貼り付けられた金属箔よりなることを特徴とする床暖房用蓄熱シート。
【請求項６】
請求項１ないし５のいずれか１項において、前記シェルは方形であり、前記片体は、該シェルの少なくとも一対の辺部に設けられていることを特徴とする床暖房用蓄熱シート。
【請求項７】
請求項１ないし６のいずれか１項において、前記片体は、前記シェルの上面側の辺縁部から張り出していることを特徴とする床暖房用蓄熱シート。
【請求項８】
放熱管を有した基板と、該基板の上側に設けられた請求項１ないし６のいずれか１項に記載の床暖房用蓄熱シートとを備えてなり、
該床暖房用蓄熱シートの前記片体が該基板上に配置されていることを特徴とする床暖房パネル。
【請求項９】
請求項８において、前記床暖房用蓄熱シートは請求項７に記載の床暖房用蓄熱シートであり、
前記基板の上面には、該シェルを収容した凹所が設けられており、
前記片体は、該凹所周囲の基板上面に重なっていることを特徴とする床暖房パネル。
【請求項１０】
請求項９において、前記基板の上面のうち前記凹所の部分に溝が設けられ、
該溝内に前記放熱管が配置されていることを特徴とする床暖房パネル。
【発明の詳細な説明】
【技術分野】
【０００１】
本発明は、温水等の熱媒を配管に通して床暖房を行う床暖房パネルと、それに用いられる蓄熱シートに関する。
【背景技術】
【０００２】
従来、一般住宅、集合住宅、ホテル、病院、高齢者養護施設などの建造物の床には、居住性を高める目的で、床面から暖房する床暖房構造が開発、実用化され、各種態様の床暖房構造が提案されている。特に、温水等の熱媒を通す放熱管を設けた床暖房構造は、ヒーター加熱によるものとは異なり、局部的に過熱状態が生じにくく、放熱性も良好であるという利点を有し、広く採用されるようになってきている。
【０００３】
この床暖房パネルを設けた床構造として、特開２０００−２９１９６５号公報には、上面に配管収容用の溝が設けられ、該溝内に熱媒流通用の配管が配設された床暖房パネルと、該床暖房パネル上に積層された板状の蓄熱部と、該蓄熱部の上側の捨貼合板と、該捨貼合板の上側の床仕上げ材とを有した構造が記載されている。
【０００４】
この特開２０００−２９１９６５号公報では、複数枚の床暖房パネルが下地合板上に敷設され、床暖房パネル同士の間に小根太が配置されている。そして、前記捨貼合板から蓄熱部を通して該小根太にスクリュー釘を打つことにより床暖房パネルが固定されている。
【０００５】
蓄熱部としては、岩石、コンクリート等の蓄熱材をそのまま板状としたものか、又はこのような蓄熱材を塊状にし、合成樹脂板内に分散含有させたものが用いられている（同号公報００１６段落）。
【０００６】
特開平９−３０３８０３号公報には、平板形状の蓄熱体と、この蓄熱体内に埋設された温水配管とを有した床暖房パネルが記載されている。同号公報の００１１段落には、蓄熱体として蓄熱性能を有するゲル状流体又は水溶液等の流動化材料が好ましいと記載されている。
【特許文献１】特開２０００−２９１９６５号公報
【特許文献２】特開平９−３０３８０３号公報
【発明の開示】
【発明が解決しようとする課題】
【０００７】
特開２０００−２９１９６５号のように床暖房パネルの上に蓄熱体を重ね、その上に捨貼合板を重ね、この捨貼合板から蓄熱体及び小根太を通して下地合板に釘打ちして床暖房パネルを固定する場合、蓄熱体としては、コンクリート、岩石などの常に固形物である、蓄熱性能の低いものしか用いることができない。
【０００８】
蓄熱体として、特開平９−３０３８０３号のように流動化材料を用いたのでは、釘が蓄熱体を貫通することにより液漏れが発生してしまう。
【０００９】
本発明は、かかる問題点を解消し、蓄熱材として蓄熱性能の高い潜熱蓄熱材を用いることができ、しかも釘打ちによって固定することができる床暖房パネルと、そのための床暖房用蓄熱シートを提供することを目的とする。
【課題を解決するための手段】
【００１０】
本発明の床暖房用蓄熱シートは、内部に空室を有した中空板状のシェルと、該シェルの少なくとも一辺から張り出すシート状の片体と、該シェルの前記空室内に充填された潜熱蓄熱材とを備えてなるものである。
【００１１】
このシェルは、上面部と、該上面部に所定間隔を置いて対置された下面部と、該上面部及び下面部の周縁部に連なる周壁部と、該上面部と下面部との間のスペースを複数の空室に区画する隔壁とを備えてなることが好ましい。この隔壁は、一方向に平行に延在するように複数個設けられてもよい。
【００１２】
シェルは、合成樹脂であることが好ましい。
【００１３】
片体は、シェルに貼り付けられた金属箔が好ましい。
【００１４】
この床暖房用蓄熱シートでは、シェルは方形であり、片体はシェルの少なくとも一対の辺部に設けられることが好ましい。
【００１５】
片体は、シェルの上面側の辺縁部から張り出すことが好ましい。
【００１６】
本発明の床暖房パネルは、放熱管を有した基板と、該基板の上側に設けられた本発明の床暖房用蓄熱シートとを備えてなり、該床暖房用蓄熱シートの前記片体が該基板上に配置されていることを特徴とするものである。
【００１７】
この床暖房パネルにあっては、床暖房用蓄熱シートのシェルは方形であり、片体はシェルの少なくとも一対の辺部に設けられており、基板の上面には、該シェルを収容した凹所が設けられており、前記片体は、該凹所周囲の基板上面に重なっていることが好ましい。
【００１８】
この床暖房パネルでは、基板の上面のうち前記凹所の部分に溝が設けられ、該溝内に前記放熱管が配置されていることが好ましい。
【発明の効果】
【００１９】
本発明の床暖房用蓄熱シートは、蓄熱材として潜熱蓄熱材を用いているので、放熱管に高温度の熱媒を流通させても床暖房用蓄熱シートの上面温度は通常の場合、潜熱蓄熱材の融解温度に保たれる。従って、例えば融解温度が４０〜５０℃程度の潜熱蓄熱材を用い、８０℃程度の高温の温水を放熱管に流通させるようにすることにより、温水ボイラの熱効率を向上させることができる。また、放熱管に流通させる熱媒の温度が変動しても、床面の温度はほぼ一定に保たれる。
【００２０】
また、潜熱蓄熱材の材料を選定することにより、居住者の希望に応じた床温度を設定することができる。
【００２１】
本発明の床暖房用蓄熱シートにあっては、シェルの少なくとも一辺から片体が張り出している。このため、この床暖房用蓄熱シート及び該床暖房用蓄熱シートを用いた床暖房パネルにあっては、この片体に釘、ビス、タッカー等の留め具を打って床暖房用蓄熱シートを固定することができる。この留め具は、シェルを貫通しないから、液状の潜熱蓄熱材がシェルから漏れるおそれは全くない。
【００２２】
このシェル内が隔壁によって上面部と下面部との間に複数のスペースを区画形成したものである場合、シェルの面圧剛性が高くなり、床暖房用蓄熱シートに上方から押圧力が加えられたときの変形が防止ないし抑制される。また、仮に何らかの原因によってシェルの１箇所に亀裂や孔が生じても、潜熱蓄熱材の漏れは１つの小空室分だけとなる。
【００２３】
複数の隔壁が一方向に平行に延在して設けられている場合には、シェルを合成樹脂の押出成形により容易に製造することができる。
【００２４】
片体をシェルに貼り付けられた金属箔にて構成した場合には、この金属箔を均熱材（伝熱シート）として機能させることができる。
【００２５】
シェルを方形とし、片体をシェルの少なくとも１対の辺部に設けることにより、床暖房用蓄熱シートを少なくともこの１対の辺部において固定することができる。
【００２６】
片体は、シェルの上面側の辺縁部から張り出すように設けられることが好ましい。これにより、床暖房パネルを構成する基板の上面に凹所を設け、この凹所にシェルを納め込み、片体を凹所周囲の基板上面に重ね合わせ、片体を基板に留め付けることができる。
【発明を実施するための最良の形態】
【００２７】
以下、図面を参照して本発明の床暖房パネルの実施の形態を詳細に説明するが、以下に説明するものは本発明の実施形態の一例であって、本発明はその要旨を超えない限り、以下の説明に何ら限定されるものではない。
【００２８】
第１図（ａ）は本発明の実施の形態に係る床暖房パネルの断面図、第１図（ｂ）は第１図（ａ）のＢ部の拡大図、第１図（ｃ）は第１図（ｂ）のＣ部の拡大図である。第２図は基板と蓄熱シートとの係合関係を示す分解斜視図、第３図はシェルの分解斜視図である。
【００２９】
この床暖房パネル１は、基板１０と、該基板１０の上面側に設けられた床暖房用蓄熱シート２０とを有する。基板１０は、方形板状の合成樹脂発泡材等よりなる基体１１と、該基体１１の１対の辺部に沿って配置され、該基体１１に対し接着剤等によって固着された合板等よりなる小根太１２，１２とで構成されている。
【００３０】
基体１１の厚さは小根太１２よりも若干小さい。基体１１と小根太１２とは、底面を面一にして固着されており、基体１１の上面は小根太１２の上面よりも若干低くなっている。これにより、基板１０は基体１１の上面側に凹所が形成された形状となっている。凹所の深さは、小根太１２と基体１１との厚みの差に等しい。
【００３１】
この基体１１の上面に溝１３が延設され、この溝１３内に熱媒流通用の配管（放熱管）１４が配設されている。なお、図示は省略するが、この溝１３内に、略Ｕ字形断面形状のＵ字部と、このＵ字部の双方の上端から互いに離反方向に張り出す張出部とを有した逆Ω字形状の伝熱材を配置し、このＵ字部内に放熱管１４を配置してもよい。張出部は、溝１３に沿う基体１１の上面に重ね合わされる。この伝熱材は、アルミ等よりなり、また、必要に応じ基体１１に対し接着剤又は粘着材によって付着される。
【００３２】
小根太１２は、合板よりなる細長い板形状の部材である。
【００３３】
床暖房用蓄熱シート２０は、基体１１と小根太１２との同一の平面視の大きさを有し、厚さが上記凹所の深さと等しいものとなっている方形のシェル２１と、このシェル２１の上面に貼り付けられたアルミニウム等の金属箔３０とを有する。この金属箔３０の１対の側辺部がシェル２１の側縁から張り出した片体３０ａを構成している。
【００３４】
第３図に明示される通り、シェル２１は、上面部２２と、該上面部２２と所定間隔をおいて配置された下面部２３と、上面部２２と下面部２３との１対の側辺部同士を繋いでいる１対の側壁部２４と、該側壁部２４と平行に延在し、上面部２２と下面部２３とを繋いでいるリブ状の隔壁２５と、シェル２１の端面を閉鎖している１対のエンドプレート２６，２６とを有している。
【００３５】
この上面部２２、下面部２３、側壁部２４及び隔壁２５は、合成樹脂の押出成形により一体に成形されている。なお、押出成形の押出方向は側壁部２４及び隔壁２５の延在方向である。上面部２２、下面部２３、側壁部２４及び隔壁２５よりなるシェル半完成品の一端面に対し一方のエンドプレート２６を接着、超音波溶着などによって固着した後、シェル２１内に潜熱蓄熱材２７を充填し、他方の端面に他方のエンドプレート２６を接着、超音波溶着などによって固着することにより、潜熱蓄熱材２７が封入されたシェル２１が得られる。この潜熱蓄熱材２７としては、融解温度が３０〜６０℃程度のものが用いられる。なお、潜熱蓄熱材２７の好ましい組成については後述する。
【００３６】
このシェル２１に対し金属箔３０を接着剤又は粘着剤によって貼り付けることにより、床暖房用蓄熱シート２０が得られる。金属箔３０がシェル２１から張り出す幅員、即ち片体３０ａの幅員は、小根太１２の幅員と等しい。
【００３７】
この床暖房用蓄熱シート２０を、放熱管１４付きの基板１０に装着する。この際、シェル２１は基体１１の上面に重ね、片体３０ａは小根太１２の上面に重ね、それぞれ接着剤又は粘着剤によって基体１１、小根太１２に付着させる。これにより、床暖房パネル１が構成される。
【００３８】
このように構成された床暖房パネル１は、例えば合板等よりなる床下地板上に敷設され、その上に必要に応じ下地合板を介して床仕上げ材が配材される。この床暖房パネル１は、片体３０ａ及び小根太１２を通して釘又はビス打ちすることにより床下地板に固定される。この実施の形態では、片体３０ａがシェル２１の両側辺から延出しているので、床暖房用蓄熱シート２０の左右両側縁部をしっかりと固定することができる。
【００３９】
この釘又はビスは、シェル２１を全く貫通しないので、液状となった潜熱蓄熱材２７が液漏れすることは全くない。
【００４０】
この床暖房パネル１の放熱管１４に温水等の熱媒を流通させることにより、床暖房が行われる。放熱管１４の上側に蓄熱シート２０が敷設されており、この蓄熱シート２０の蓄熱材が潜熱蓄熱材であるため、放熱管１４の温度が高くても床面温度は、通常、潜熱蓄熱材の融解温度又はそれ以下となり、快適な床暖房を行うことができる。また、放熱管１４に通す温水等の温度を高くすることにより、ボイラの熱効率を高めることができる。また、放熱管１４に流通させる温水等の温度が変動しても、床面の温度をほぼ一定に保つことができる。
【００４１】
また、この床暖房用蓄熱シート２０は、その上面に金属箔３０を有しており、熱を床面全体に広く伝達させ、床面温度を均一化させることができる。
【００４２】
この実施の形態では、床暖房用蓄熱シート２０のシェル２１は、複数の隔壁２５によって上面部２２を支承した構造となっているので、上方から大きな荷重が加えられても上面部２２が凹むように変形することはない。なお、シェル２１内が隔壁２５によって多数の小室に分画されているので、仮にシェル２１に局所的にクラックや貫通孔が生じても、液状の潜熱蓄熱材の漏出量は１個の小室分以下に止まる。
【００４３】
なお、このシェル２１は隔壁２５と側壁部２４，２５とが平行方向に延在しているので、合成樹脂の押出成形により効率良く製造することができる。
なお、本発明における床暖房パネルは、予め工場で基板と床暖房用蓄熱シートとを一体化したものを施工現場に搬入してもよいし、あるいは、基板と床暖房用蓄熱シートを、それぞれ施工現場に搬入し、施工現場で一体化してもよい。更に、片体３０ａを施工現場で設けてもよい。
【００４４】
以下に本発明の床暖房パネルを構成する各部材の構成材料等について詳細に説明する。
【００４５】
〈基体〉
基体１１の材質は特に限定されないが、通常、断熱性に富んだ発泡合成樹脂製のものが好ましく、発泡合成樹脂製の板状体、具体的には、ポリウレタン発泡体、ポリエチレン発泡体、ポリプロピレン発泡体、ポリスチレン発泡体、ポリ塩化ビニル発泡体、ポリメチルメタクリレート発泡体、ポリカーボネート発泡体、ポリフェニレンオキサイド発泡体、ポリスチレンとポリエチレン混合物の発泡体などが挙げられる。中でも、ポリエチレン発泡体、ポリプロピレン発泡体、ポリスチレン発泡体などが好適である。基体１１を構成するこれらの板状体の厚さは９〜５０ｍｍの範囲内で選ぶのが好ましい。基体１１の発泡倍率は１０〜５０倍程度が好適である。
【００４６】
〈溝〉
基体１１の上面には、放熱管１４を配設するための溝１３が基体１１の長手方向と平行に複数本刻設されている。
【００４７】
溝１３の幅員は、放熱管１４の外径と同程度とするのが好ましい。溝１３は、その延在方向に直交する断面形状がＵ字形状又はコ字形状となるように形成されるが、特に、放熱管１４から床面への伝熱性、放熱管１４を溝１３に埋設する際の施工性の面から、断面Ｕ字形とすることが好ましい。
【００４８】
溝１３の深さは、放熱管１４の外径と同程度とするのが好ましい。
【００４９】
〈放熱管１４〉
放熱管１４には、通常可撓性チューブが使用され、具体的には架橋ポリエチレン管、ポリブテン管などの樹脂管、銅管、鋼管などの金属管のいずれを用いても良い。このうち、金属管は樹脂管に比べて高熱伝導率であるものの重量が重く、加工性、発錆等の問題があり、また、コストも高くなるため、床暖房パネルの用途に用いる場合は、樹脂管が好ましい。
【００５０】
放熱管１４の断面（長さ方向に直交する方向の断面）形状には特に制限はなく、一般的には第１図に示すような円形とされるが、長円形状ないし楕円形状とすることにより、放熱管１４と蓄熱シート２０との接触面積を増すことができ、上面側への放熱効率をさらに高めることができる。ただし、この場合には基体１１に設ける溝１３の形状を放熱管１４の形状に倣って適宜設計する。
【００５１】
放熱管１４の寸法は、床暖房パネルの施工対象や流通させる熱媒の種類や温度によって変更できるものであるが、一般的には外径が６ｍｍ以上１３ｍｍ以下程度、内径が４ｍｍ以上１０ｍｍ以下程度で、肉厚が０．８ｍｍ以上２．０ｍｍ以下程度である。
【００５２】
〈熱媒〉
放熱管１４に通す熱媒（加熱媒体）としては、温水、水蒸気、加熱オイル、あるいはエチレングリコール系水溶液、プロピレングリコール系水溶液などの不凍液などが挙げられるが、好ましくは温水である。
【００５３】
〈伝熱材〉
放熱管１４からの熱を蓄熱シート２０に効率良く伝達させるために、前記の通り、伝熱材（図示略）を設けてもよい。
【００５４】
この伝熱材は、アルミニウム、銅などの熱良導性の金属材、特にアルミニウムよりなることが好ましい。
【００５５】
伝熱材は、Ｕ字形断面形状のＵ字部と、該Ｕ字部の上端から互いに反対方向に張り出す１対の張出部とを有することが好ましい。
【００５６】
〈シェル２１〉
シェル２１は、ポリプロピレン、ポリエチレン、ポリスチレン、ポリエチレンテレフタレート、ＡＢＳ、ポリ塩化ビニルなどの合成樹脂製であることが好ましく、特に押出成形、射出成形等の溶融成形が可能であるところから熱可塑性合成樹脂製であることが好ましい。シェル２１の厚み方向の寸法は１〜６ｍｍ程度が好適である。また、各種フィラー等、一般に樹脂に添加することのできる各種添加剤が含有されていてもよい。
【００５７】
〈潜熱蓄熱材２７〉
潜熱蓄熱材としては、３０〜６０℃特に４０〜５０℃に融解温度を有するものが好適である。このような潜熱蓄熱材としては、酢酸ナトリウム３水塩（ＣＨ３ＣＯＯＮａ・３Ｈ２Ｏ）（融点５８℃）、チオ硫酸ナトリウム５水塩（Ｎａ２Ｓ２Ｏ３・５Ｈ２Ｏ）（融点４８℃）、硫酸ナトリウム１０水塩（Ｎａ２ＳＯ４・１０Ｈ２Ｏ）（融点３２℃）、塩化カルシウム６水塩（ＣａＣｌ２・６Ｈ２Ｏ）（融点３０℃）の単体、もしくは、上記物質を２種類以上組み合わせた混合塩などが例示される。
【００５８】
〈金属箔３０〉
金属箔３０は、シェル２１から延出して片体３０ａを構成すると共に、蓄熱シート２０の熱を床仕上げ材へ伝達する機能を有する。金属箔の種類としては、アルミニウム箔、錫箔、ステンレススチール箔、銅箔などが挙げられる。中でも、製造の難易、コストなどの観点からアルミニウム箔が好適である。アルミニウム箔の場合は３０〜５００μｍ、特に８０〜２００μｍ程度の厚みのものが好適である。
【００５９】
〈表装材層〉
本発明では、金属箔３０の上にさらに表装材層を設けてもよい。
【００６０】
表装材層としては特に制限はないが、下面側のクッション材層と、この上に積層された床表面材層とを備えるものが好ましい。ただし、クッション材層は必ずしも必要とされず、床表面材層のみでもよい。
【００６１】
クッション材層は、床表面材層上での優れた歩行感覚を得る等の面から、例えばポリウレタン発泡体、ポリオレフィン系発泡体等の発泡樹脂、熱可塑性エラストマー又は不織布を含むものである。
【００６２】
クッション材層の厚さは、その材質、床暖房パネルの施工対象によっても異なるが、床暖房パネルを過度に厚くすることなく、また、配管からの伝熱効率を損なうことなく、十分な歩行性等を得る上で、１ｍｍ以上６ｍｍ以下、特に２ｍｍ以上５ｍｍ以下の範囲とすることが好ましい。
【００６３】
床表面材層は、配管を埋設した基体を保護すると共に、床面外観の意匠性と耐久性を高めるためのものであり、通常は合板等の木製、発泡ゴム製で、好ましくは木製のものであり、その表面に通常は、天然木材板又は木目模様などの印刷模様を施したプラスチックフィルム、不織布、強化紙など、好ましくは天然木材板又は強化紙が貼着される。
【００６４】
床表面材層の厚さは、薄すぎると強度が不足して破損しやすくなり、厚すぎると配管からの伝熱効率が低下すると共に床暖房パネルの厚さが厚くなるため、３ｍｍ以上１５ｍｍ以下の範囲とするのが好ましい。
【００６５】
なお、このような床表面材層の上に更に樹脂塗装等を施しても良い。
【００６６】
［別の実施の形態］
本発明では、第４図に示すように、シェル２１の下面にも金属箔３２を貼ってもよい。これにより、放熱管１４からの熱が蓄熱シート２０に均一に伝わり易くなる。
【００６７】
また、本発明では、第５図のように、小根太１２を省略し、小根太１２の部分についても基体１１で構成してもよい。
【００６８】
図示はしないが、第５図の構成においても、第４図のように、シェル２１の下面にも金属箔を貼ってもよい。
【００６９】
なお、第４図（ａ），（ｂ）及び第５図（ａ），（ｂ）はそれぞれ第１図（ａ），（ｂ）に相当する断面図である。第４，５図の実施の形態のその他の構成は、上記実施の形態と同様であり、同一符号は同一部分を示している。
【００７０】
本発明では、第６図のように、シェルの隔壁を四角形、六角形等（第６図では四角形）のハニカムとしてもよい。
【００７１】
第６図のシェル４０は、井桁状のハニカム４１に対し上下からプレート４２を重ね合わせ、振動溶着、接着等により該プレート４２とハニカム４１とを接合することにより形成されたものである。なお、第６図では上側のプレート４２のみが図示されている。
【００７２】
このシェル４０を用いて床暖房用蓄熱シートを製造するには、ハニカム４１の下面にプレート４２を固着させて上開容器状とする。そして、ハニカム４１で区画された個々の小室内に潜熱蓄熱材を充填した後、上側のプレート４２を被せて固着する。その後、シェル４０の上面に金属箔３０（第６図では図示略）を貼着することにより、床暖房パネルが得られる。
【００７３】
上記実施の形態はいずれも本発明の一例であり、本発明は図示以外の形態をもとりうる。例えば、金属箔３０の代わりに合成樹脂シートや合成樹脂繊維の不織布、織布を用いてもよい。これらの合成樹脂シート等の場合、シェルの上面全体に貼るのではなく、シェルの上面の辺縁部にのみ合成樹脂シートを貼り付けて片体をシェルから張り出させてもよい。
【図面の簡単な説明】
【００７４】
【図１】本発明の床暖房パネルの実施の形態を示す断面図である。
【図２】図１の床暖房パネルの分解斜視図である。
【図３】図１の床暖房パネルのシェルの分解斜視図である。
【図４】別の実施の形態に係る床暖房パネルを示す断面図である。
【図５】別の実施の形態に係る床暖房パネルを示す断面図である。
【図６】異なる実施の形態に用いられるシェルの分解斜視図である。
【符号の説明】
【００７５】
１  床暖房パネル
１０  基板
１１  基体
１２  小根太
１３  溝
１４  放熱管
２０  床暖房用蓄熱シート
２１  シェル
２５  隔壁
３０  金属箔
３０ａ  片体
４０  シェル
【図１】
2008020136.tif 000003
【図２】
2008020136.tif 000004
【図３】
2008020136.tif 000005
【図４】
2008020136.tif 000006
【図５】
2008020136.tif 000007
【図６】
2008020136.tif 000008